(57)【要約】【課題】安全運転を阻害することなく、車載装置に表示された投稿情報の内容を一見して把握することを課題とする。【解決手段】車載用表示装置は、通信装置と車載機とを有する。通信装置は、ユーザが投稿した投稿情報と当該投稿情報の投稿先を示す位置情報とを取得し、取得された投稿情報をカテゴリに分類する。続いて、通信装置は、投稿情報とともに取得された位置情報によって特定される地図上の位置に、分類されたカテゴリに応じた表示形式で、投稿情報を表示する地図データを生成して車載機に送信する。車載機では、受信した地図データを液晶モニタ等に表示する。【選択図】図２
2011247831.tif 000002
【特許請求の範囲】
【請求項１】
車両に搭載され、ユーザが投稿した投稿情報を表示する車載用表示装置であって、
前記投稿情報の投稿先を示す位置情報に基づいて特定される位置に、前記投稿情報をカテゴリに分類するカテゴリ分類部によって分類されたカテゴリに応じた表示形式で前記投稿情報を表示させた地図データを表示する表示部、
を有することを特徴とする車載用表示装置。
【請求項２】
前記表示部は、前記投稿情報の詳細内容を表示する操作部を含んだ表示形式で前記地図データを表示し、前記操作部への操作を受け付けた場合には、前記投稿情報の詳細内容を前記地図データ上に表示させることを特徴とする請求項１に記載の車載用表示装置。
【請求項３】
前記投稿情報は、前記表示部への操作により選択可能に表示され、
前記表示部は、前記地図データ上に複数の投稿情報が表示されている状態で、前記投稿情報が選択された場合には、一覧形式に編集された前記複数の投稿情報を表示することを特徴とする請求項１に記載の車載用表示装置。
【請求項４】
前記表示部は、投稿された時間に基づいた時系列で並べた一覧形式、または、前記操作を受け付けた地図データ上の位置から近い順で並べた一覧形式、または、前記カテゴリ分類部が分類するカテゴリごとに並べた一覧形式に編集された前記複数の投稿情報を表示することを特徴とする請求項３に記載の車載用表示装置。
【請求項５】
前記表示部は、前記投稿情報に関する定型文を選択可能に表示し、選択された前記定型文を前記地図データにおける前記車両の現在位置に表示することを特徴とする請求項１〜３のいずれか一つに記載の車載用表示装置。
【請求項６】
前記定型文は、前記カテゴリ分類部によって分類されるカテゴリごとに用意されることを特徴とする請求項５に記載の車載用表示装置。
【請求項７】
前記定型文は、前記カテゴリ分類部によって分類されるカテゴリごとに、季節、時間、天気、前記ユーザの嗜好の少なくとも一つによって変動される変動定型文と、前記季節、時間、天気、ユーザの嗜好のいずれによっても変動されない固定定型文とを有することを特徴とする請求項６に記載の車載用表示装置。
【請求項８】
前記表示部は、所定の嗜好情報に関する投稿情報が表示される位置または前回表示した投稿情報から所定数以上投稿情報が増えている位置の方向を指し示す方向情報を表示させた前記地図データを表示することを特徴とする請求項１〜７のいずれか一つに記載の車載用表示装置。
【請求項９】
ユーザが投稿した投稿情報を車載用表示装置に表示する表示方法であって、
前記投稿情報と当該投稿情報の投稿先を示す位置情報とを取得する情報取得ステップと、
前記情報取得ステップによって取得された投稿情報をカテゴリに分類するカテゴリ分類ステップと、
前記情報取得ステップによって投稿情報とともに取得された位置情報によって特定される位置に、前記カテゴリ分類ステップによって分類されたカテゴリに応じた表示形式で前記投稿情報を表示させた地図データを表示する情報表示ステップと、
を含んだことを特徴とする表示方法。
【請求項１０】
投稿情報を取得する通信装置と、前記投稿情報を表示する表示装置とから構成される情報表示システムであって、
前記通信装置は、
前記投稿情報と当該投稿情報の投稿先を示す位置情報とを取得する情報取得部と、
前記情報取得部によって取得された投稿情報をカテゴリに分類するカテゴリ分類部と、を有し、
前記表示装置は、
前記情報取得部によって投稿情報とともに取得された位置情報によって特定される位置に、前記カテゴリ分類部によって分類されたカテゴリに応じた表示形式で前記投稿情報を表示させた地図データを表示する情報表示部、
を有することを特徴とする情報表示システム。
【発明の詳細な説明】
【技術分野】
【０００１】
本発明は、車載用表示装置、表示方法および情報表示システムに関する。
【背景技術】
【０００２】
従来、カーナビゲーションなどの車載装置は、ラジオ電波を用いたＶＩＣＳ（Vehicle  Information  and  Communication  System）やＲＤＳ（Radio  Data  System）などによってリアルタイムに得た情報をディスプレイに表示することを実施している。また、車載装置は、ブルートゥース（登録商標）などを用いた無線通信によってインターネット上のセンターから取得したリアルタイム情報や配信型プローブで取得したリアルタイム情報をディスプレイに表示することも実施している。
【０００３】
近年の車載装置では、位置情報とブログとを対応付けたアイコンや音声メッセージなどを地図上に表示することも実施されている。例えば、ユーザは、車載装置のタッチパネルを操作して位置情報とともにブログ記事を投稿したり、携帯電話を用いて位置情報付き音声メッセージやブログ記事を投稿したりする。そして、これらの投稿を受信した車載装置は、受信した位置情報によって特定される地図上の位置に、受信されたブログ記事などの投稿情報をアイコンで表示する。
【０００４】
また、車載装置は、ユーザによってアイコンが選択されると、投稿されたブログ記事のサイトを表示したり、選択されたアイコンに付随する音声メッセージを出力したりする。また、車載装置は、同一位置に複数の投稿があった場合には、アイコンの形状や色等を変化させて同時に複数の投稿を表示し、いずれかのアイコンが選択されると、選択された位置近辺の投稿一覧を表示してそれぞれの投稿を選択できるようにする。また、車載装置は、特定の項目のみを表示するような表示制限を実施することもできる。
【０００５】
最近では、スマートフォン、携帯電話、パーソナルコンピュータなどの情報通信機器を用いて、リアルタイムに情報共有ができるツイッター（登録商標）などのオープンツール（サービス）が普及している。例えば、ユーザは、ツイッターを起動して「ツイート」といわれる所定文字数内の短文を投稿し、その投稿に対する他人の返事を参照したりして、他人とコミュニケーションを図る。また、ツイッター（登録商標）には、位置情報に関するＡＰＩ（Application  Program  Interface）も公開されており、地域単位や位置に関連性のある情報を発信することもできる。
【先行技術文献】
【特許文献】
【０００６】
【特許文献１】特開２００７−２７８８０７号公報
【発明の概要】
【発明が解決しようとする課題】
【０００７】
しかしながら、従来技術では、ユーザが車載装置に表示された投稿情報の内容を一見して把握することができず、投稿情報の閲覧や投稿が安全運転に悪影響を及ぼす恐れがあるという課題があった。
【０００８】
具体的には、従来の車載装置は、リアルタイムで取得したブログ記事やツイートなどの投稿情報を全て地図上に表示するので、運転者などのユーザは、車載装置に表示された膨大な投稿情報それぞれの内容を一見して把握することができない。このため、運転者は、投稿情報の内容を閲覧するために車載装置を操作するなどわき見運転をしなければならず、運転に集中できない状態が発生し安全運転に悪影響がある。また、運転者は、車載装置を直接操作して投稿情報を投稿する必要があり、この場合も運転に集中できない状態が発生し安全運転に悪影響がある。このように、運転中に複雑な操作をドライバーに求めるのは好ましくない。
【０００９】
一方、安全運転の確保を考慮した場合、運転が終えた後に、車載装置に表示される投稿情報を閲覧したり、投稿情報を投稿したりすることも考えられる。ところが、これらの場合、運転を終えた頃には情報が古いものとなってしまい、リアルタイム性が損なわれ、有益な情報をリアルタイムに発信することができず、ブログやツイッター（登録商標）などの有効性を活用することができない。
【００１０】
開示の技術は、上記に鑑みてなされたものであって、安全運転を阻害することなく、車載装置に表示された投稿情報の内容を一見して把握することが可能である車載用表示装置、表示方法および情報表示システムを提供することを目的とする。
【課題を解決するための手段】
【００１１】
本願の開示する車載用表示装置、表示方法および情報表示システムは、一つの態様において、投稿情報と当該投稿情報の投稿先を示す位置情報とを取得する情報取得部と、前記情報取得部によって取得された投稿情報をカテゴリに分類するカテゴリ分類部と、前記情報取得部によって投稿情報とともに取得された位置情報によって特定される位置に、前記カテゴリ分類部によって分類されたカテゴリに応じた表示形式で前記投稿情報を表示させた地図データを表示する情報表示部と、を有することを特徴とする。
【発明の効果】
【００１２】
本願の開示する車載用表示装置、表示方法および情報表示システムの一つの態様によれば、安全運転を阻害することなく、車載装置に表示された投稿情報の内容を一見して把握することが可能であるという効果を奏する。
【図面の簡単な説明】
【００１３】
【図１】図１は、実施例１にかかる車載用表示装置を含むシステムの全体構成を示す図である。
【図２】図２は、車載用表示装置の構成を示すブロック図である。
【図３】図３は、カテゴリＤＢに記憶される情報の例を示す図である。
【図４】図４は、投稿情報ＤＢに記憶される情報の例を示す図である。
【図５】図５は、定型文ＤＢに記憶される情報の例を示す図である。
【図６】図６は、通信装置と車載装置との投稿連携における初期画面である。
【図７】図７は、通信装置と車載装置との投稿連携で表示される画面例である。
【図８】図８は、投稿情報の詳細情報を表示した例を示す図である。
【図９】図９は、投稿情報の一覧を表示した例を示す図である。
【図１０】図１０は、カテゴリ（交通）の定型文を表示した例を示す図である。
【図１１】図１１は、投稿情報として定型文（渋滞中）を入力した例を示す図である。
【図１２】図１２は、カテゴリ（天気）の定型文を表示した例を示す図である。
【図１３】図１３は、投稿情報として定型文（暴風雨）を入力した例を示す図である。
【図１４】図１４は、定型文一覧とともに動画像撮影ボタンと音声録音ボタンとを表示した画面例を示す図である。
【図１５】図１５は、通信装置における投稿連携開始処理の流れを示すフローチャートである。
【図１６】図１６は、通信装置における投稿情報表示処理の流れを示すフローチャートである。
【図１７】図１７は、通信装置における投稿情報選択時の処理の流れを示すフローチャートである。
【図１８】図１８は、通信装置における投稿情報入力処理の流れを示すフローチャートである。
【図１９】図１９は、プロフィール情報の例を示す図である。
【図２０】図２０は、投稿情報が表示される画面例を示す図である。
【図２１】図２１は、北東の方向にユーザの嗜好と一致する投稿情報が多数投稿された例を示す図である。
【図２２】図２２は、実施例３にかかる車載用表示装置を含むシステムの全体構成を示す図である。
【発明を実施するための形態】
【００１４】
以下に、本願の開示する車載用表示装置、表示方法および情報表示システムの実施例を図面に基づいて詳細に説明する。なお、この実施例によりこの発明が限定されるものではない。
【実施例１】
【００１５】
［全体構成］
図１は、実施例１にかかる車載用表示装置を含むシステムの全体構成を示す図である。図１に示すように、このシステムは、ツイッターサーバ１と音声合成サーバ２と地図サーバ３と音声認識サーバ４と、自動車等の車内１０に設置される車載用表示装置１１とを有する。なお、本実施例では、投稿情報としてツイッター（登録商標）を用いた例で説明するが、これに限定されるものではなく、例えばブログ、簡易メール、ＳＮＳ（Social  Network  Service）などの投稿サービスを用いることもできる。
【００１６】
ツイッターサーバ１は、ユーザＩＤによって識別される個々のユーザが携帯電話などを用いて投稿したツイートなどの投稿情報を記憶する投稿情報サーバである。また、ツイッターサーバ１は、投稿された情報に音声データが付加されている場合には、付加されている音声データを音声合成サーバ２に格納する。また、ツイッターサーバ１は、投稿された情報に地図データが付加されている場合には、付加されている地図データを地図サーバ３に格納する。
【００１７】
そして、ツイッターサーバ１は、ユーザが投稿情報の取得要求を受信した場合に、記憶する投稿情報をユーザの携帯電話に送信する。例えば、ツイッターサーバ１は、前回の取得要求から今回の取得要求の間に蓄積された投稿情報を送信する。この投稿情報の送信手法については、様々な手法を利用できる。例えば、ツイッターサーバ１は、前回の取得要求から今回の取得要求の間に蓄積された投稿情報のうち、ユーザがフォローしている他ユーザ、言い換えると、要求元のユーザが指定したユーザの投稿情報のみを送信するようにしてもよい。また、ツイッターサーバ１は、前回の取得要求から今回の取得要求の間に蓄積された投稿情報のうち、現在のユーザ位置から所定範囲内の位置までの間で投稿された投稿情報のみを送信するようにしてもよい。
【００１８】
音声合成サーバ２は、ツイッターサーバ１に投稿された情報と当該情報に付加された音声データとを合成するサーバである。例えば、音声合成サーバ２は、ツイッターサーバ１から投稿情報を識別する識別子等とともに音声データを受信し、これらを対応付けて記憶する。そして、音声合成サーバ２は、ツイッターサーバ１から取得された投稿情報に付加されている音声データの取得要求をユーザから受け付ける。すると、音声合成サーバ２は、当該取得要求に含まれる識別子等によって音声データを特定し、特定した音声データをユーザに送信する。
【００１９】
地図サーバ３は、ツイッターサーバ１に投稿された情報と当該情報に付加された地図データとを合成するサーバである。例えば、地図サーバ３は、ツイッターサーバ１から投稿情報を識別する識別子等とともに地図データを受信し、これらを対応付けて記憶する。そして、地図サーバ３は、ツイッターサーバ１から取得された投稿情報に付加されている地図データの取得要求をユーザから受け付ける。すると、地図サーバ３は、当該取得要求に含まれる識別子等によって地図データを特定し、特定した地図データをユーザに送信する。
【００２０】
音声認識サーバ４は、ユーザの音声を理解して、つぶやき（テキスト）に変換し、ツイッターサーバ１に送信するサーバである。したがって、ユーザは、携帯端末等で情報を生成した上でしか投稿できないわけではなく、音声を音声認識サーバ４に送信するだけで、投稿することができる。このように、音声を認識して投稿することにより、ドライバーに対し、複雑な操作を求めることがなくなり、安全運転が確保される。
【００２１】
なお、本実施例では、ツイッターサーバ１、音声合成サーバ２、地図サーバ３、音声認識サーバ４が別々の筐体で実現されている例を図示しているが、これに限定されるものではなく、例えば、ツイッターサーバ１、音声合成サーバ２、地図サーバ３、音声認識サーバ４が１つの筐体で実現されていてもよい。
【００２２】
車載用表示装置１１は、車内１０に設置される装置であり、通信装置２０と車載機５０とを有する。なお、車載用表示装置１１は、通信装置２０と車載機５０とが別々の筐体で実現されている例を図示しているが、これに限定されるものではなく、例えば通信装置２０と車載機５０とが１つの筐体で実現されていてもよい。
【００２３】
通信装置２０は、Ｗｅｂやインターネットに接続可能な携帯電話、パーソナルコンピュータ、スマートフォンなどの通信装置であり、無線通信やＵＳＢ（Universal  Serial  Bus）などを用いて車載機５０と接続される。この通信装置２０は、投稿情報、音声データ、地図データなどの各種データを車載機５０に出力し、車載機５０のタッチパネル等でユーザが操作した内容にしたがって各種処理を実行する。
【００２４】
車載機５０は、タッチパネルやディスプレイなどの液晶モニタを有するとともに、表示機能やオーディオ再生機能、携帯端末との通信機能といった基礎的な機能のみを実装し、通信装置２０と連携することで多機能化するＤＡ（Display  Audio）である。したがって、本実施例で用いる車載機５０は、近年、車両に搭載される高精度な車載装置などに比べて安価な装置であり、普及が期待できる装置である。
【００２５】
なお、本願が開示する車載機５０は、必ずしもＤＡである必要はなく、ナビゲーション機能などを備えた高精度な車載装置であってもよい。この場合、地図を除くデータ（投稿内容、位置情報）が車載機５０に送信され、車載機５０が、ローカルに記憶する地図データに投稿内容を表示させる。
【００２６】
この車載機５０は、通信装置２０から受信した投稿情報や地図データを液晶モニタに表示し、通信装置２０から受信した音声データをスピーカーから音声出力する。また、車載機５０は、表示パネル上でユーザが操作した情報として、操作位置を示す座標などの位置情報を通信装置２０に送信する。
【００２７】
［車載用表示装置の構成］
次に、図２を用いて、図１に示した車載用表示装置の構成を説明する。図２は、車載用表示装置の構成を示すブロック図である。図２に示すように、車載用表示装置１１は、通信装置２０と車載機５０とを有するので、ここでは、通信装置２０と車載機５０とのそれぞれについて説明する。
【００２８】
（通信装置の構成）
通信装置２０は、入出力インタフェース２１と、ＧＰＳ（Global  Positioning  System）２２と、カメラ２３と、マイク２４と、カテゴリＤＢ（DataBase）２５と、投稿情報ＤＢ２６と、定型文ＤＢ２７とを有する。また、通信装置２０は、投稿連携起動部２８と、投稿情報取得部２９と、情報分類部３０と、情報表示部３１と、操作特定部３２と、情報編集部３３と、情報入力部３４とを有する。
【００２９】
なお、ここに示した各機能部やＤＢは、あくまで例示であり、通信装置２０の機能がこれに限定されるものではない。例えば、上記機能部以外にも、通話機能やＷｅｂ通信機能等を有しており、また、ディスプレイ等を有している。
【００３０】
入出力インタフェース２１は、車載機５０と連携接続するインタフェースであり、例えばＵＳＢなどの有線通信、赤外線やブルートゥース（登録商標）などの近距離無線通信などの通信で車載機５０と接続する。例えば、入出力インタフェース２１は、投稿情報や地図データなどが圧縮されたＪＰＥＧ（Joint  Photographic  Experts  Group）形式の画像データ、ＭＰＥＧ（Moving  Picture  Experts  Group）形式の動画データや音声データを車載機５０に送信する。また、入出力インタフェース２１は、ユーザが操作した操作位置を示す座標などを車載機５０から受信する。
【００３１】
ＧＰＳ２２は、ＧＰＳ衛星と通信するＧＰＳ送受信機能を有し、車両の現在位置を取得する。例えば、ＧＰＳ２２は、後述する情報入力部３４から位置情報取得指示を受信した場合に、ＧＰＳ衛星と通信して取得した現在位置をメモリ等の記憶部に格納し、取得した位置データを情報入力部３４に出力する。
【００３２】
カメラ２３は、車内や車外などに設置され、画像や動画を撮影する。例えば、カメラ２３は、後述する情報入力部３４から撮影指示を受信した場合に、動画または画像を撮影してメモリ等の記憶部に格納し、撮影したデータを情報入力部３４に出力する。マイク２４は、車内や車外などに設置され、音声を録音する。例えば、マイク２４は、後述する情報入力部３４から録音指示を受信した場合に、音声を録音してメモリ等の記憶部に格納し、録音した音声データを情報入力部３４に出力する。なお、マイク２４は、携帯電話の場合には、受話口であってもよく、別途接続されていてもよい。
【００３３】
カテゴリＤＢ２５は、投稿情報を分類するカテゴリや分類された投稿情報の表示形式などを記憶する。図３は、カテゴリＤＢに記憶される情報の例を示す図である。図３に示すように、カテゴリＤＢ２５は、「タグ、分類カテゴリ、表示形式」として「＃Tra、交通／Traffic、アイコン（吹き出し）／赤」、「＃Wea、天気／Weather、アイコン（吹き出し）／白」、「＃Sce、シーン／Scene、アイコン（吹き出し）／緑」などを記憶する。また、カテゴリＤＢ２５は、「＃Cus、カスタム／Custom、アイコン（吹き出し）／黄」、「＃Inf、お知らせ／Information、アイコン（吹き出し）／青」などを記憶する。
【００３４】
ここで記憶される「タグ」は、ツイートなどの投稿情報に含まれるハッシュタグを示す。「分類カテゴリ」は、投稿情報が分類されるカテゴリを示す。「表示形式」は、投稿情報を車載機５０に表示する際の形式や色を示す。
【００３５】
例えば、「＃Tra、交通／Traffic、アイコン（吹き出し）／赤」の場合、ハッシュタグが「＃Tra」である投稿情報は、カテゴリ「交通」に分類され、吹き出し型の赤色アイコンで表示されることとなる。また、「＃Wea、天気／Weather、アイコン（吹き出し）／白」の場合、ハッシュタグが「＃Wea」である投稿情報は、カテゴリ「天気」に分類され、吹き出し型の白色アイコンで表示されることとなる。「＃Sce、シーン／Scene、アイコン（吹き出し）／緑」の場合、ハッシュタグが「＃Sce」である投稿情報は、カテゴリ「シーン」に分類され、吹き出し型の緑色アイコンで表示されることとなる。「＃Cus、カスタム／Custom、アイコン（吹き出し）／黄」の場合、ハッシュタグが「＃Cus」である投稿情報は、カテゴリ「カスタム」に分類され、吹き出し型の黄色アイコンで表示されることとなる。「＃Inf、お知らせ／Information、アイコン（吹き出し）／青」の場合、ハッシュタグが「＃Inf」である投稿情報は、カテゴリ「お知らせ」に分類され、吹き出し型の青色アイコンで表示されることとなる。
【００３６】
例えば、ツイッター（登録商標）で用いられる「つぶやき」などの投稿情報は、無制限にどんな内容でも気軽に投稿できる反面、情報量が膨大になってしまい、検索や欲する情報を取得するのが大変な作業になってしまう。そこで、「ハッシュタグ」を用いることで、容易に欲する情報が常に取得できるようになる。特に、運転中には、複雑な操作をしなくても欲する情報を取得することができるため、有効である。これらの結果、カテゴリ分類に「ハッシュタグ」を用いることで、多くの投稿情報から表示すべき投稿情報をすばやく特定（フィルタリング）することができる。
【００３７】
投稿情報ＤＢ２６は、ツイッターサーバ１から取得された投稿情報と当該投稿情報の分類先を記憶する。図４は、投稿情報ＤＢに記憶される情報の例を示す図である。図４に示すように、投稿情報ＤＢ２６は、「投稿日時、タグ、内容、位置情報、動画像、音声、分類結果」として「2010/4/26  10:00:00、＃Tra、渋滞中、兵庫県神戸市○○交差点、111.jpeg、−、交通」などを記憶する。また、投稿情報ＤＢ２６は、「2010/4/26  10:00:02、＃Wet、濃霧で視界不良です、兵庫県神戸市○○１丁目、−、−、−」、「2010/4/26  10:00:05、＃Sce、いい景色、六甲山××、夜景.mpeg、あり、シーン」、「2010/4/26  10:00:15、＃III、今なら１００円／Ｌです！、兵庫県神戸市○○３丁目、−、−、−」などを記憶する。
【００３８】
ここで記憶される「投稿日時」は、投稿情報が投稿された日時を示し、「タグ」は、ツイートなどの投稿情報に含まれるハッシュタグを示す。「内容」は、投稿された内容、言い換えると、つぶやかれた内容を示し、「位置情報」は、投稿情報の表示位置を示す。また、「動画像」は、投稿情報に付加されている動画像データがあるか否かを示し、ある場合にはファイル名が格納され、ない場合には「−」が格納される。「音声」は、投稿情報に付加されている音声データがあるか否かを示し、ある場合にはファイル名が格納され、ない場合には「−」が格納される。「分類結果」は、後述する情報分類部３０によって分離された結果が格納され、分類できなかった場合には「−」が格納されて表示対象から除外される。
【００３９】
例えば、「2010/4/26  10:00:00、＃Tra、渋滞中、兵庫県神戸市○○交差点、111.jpeg、−、交通」の場合、タグが「＃Tra」であり、投稿位置を「兵庫県神戸市○○交差点」とする、「111.jpeg」が付加された投稿情報「渋滞中」が「2010/4/26  10:00:00」に投稿され、カテゴリ「交通」に分類されたことを示す。また、「2010/4/26  10:00:02、＃Wet、濃霧で視界不良です、兵庫県神戸市○○１丁目、−、−、−」の場合、タグが「＃Wet」であり、投稿位置を「兵庫県神戸市○○１丁目」とする、投稿情報「濃霧で視界不良です」が「2010/4/26  10:00:02」に投稿され、いずれのカテゴリにも分類されなかったことを示す。
【００４０】
また、「2010/4/26  10:00:05、＃Sce、いい景色、六甲山××、夜景.mpeg、あり、シーン」の場合、タグが「＃Sce」であり、投稿位置を「六甲山××」とする、「夜景.mpeg」と音声データとが付加された投稿情報「いい景色」が「2010/4/26  10:00:05」に投稿され、カテゴリ「シーン」に分類されたことを示す。また、「2010/4/26  10:00:15、＃III、今なら１００円／Ｌです！、兵庫県神戸市○○３丁目、−、−、−」の場合、タグが「＃III」であり、投稿位置を「兵庫県神戸市○○３丁目」とする投稿情報「今なら１００円／Ｌです！」が「2010/4/26  10:00:15」に投稿されたが、いずれのカテゴリにも分類されなかったことを示す。
【００４１】
定型文ＤＢ２７は、ユーザが投稿する投稿情報の定型文を記憶する。図５は、定型文ＤＢに記憶される情報の例を示す図である。図５に示すように、定型文ＤＢ２７は、投稿する情報のカテゴリを示す「投稿カテゴリ」と、投稿する内容を示す「定型文」と、投稿する情報の「タグ」とを対応付けて記憶する。
【００４２】
例えば、「投稿カテゴリ」を「交通」とする定型文には「渋滞中、なう、抜け道、危険！、ここイイ、駐車ＯＫ」があり、それぞれのタグは「＃Tra」となる。また、「投稿カテゴリ」を「天気」とする定型文には「雨、積雪、凍結、濃霧、暴風雨、台風」があり、それぞれのタグは「＃Wea」となる。また、「投稿カテゴリ」を「シーン」とする定型文には「おいしい、いい景色、穴場」があり、それぞれのタグは「＃Sce」となる。また、「投稿カテゴリ」を「カスタム」とする定型文には「何これ、花火」があり、それぞれのタグは「＃Cus」となる。また、「投稿カテゴリ」を「お知らせ」とする定型文には「ガソリン、渋滞解消」があり、それぞれのタグは「＃Inf」となる。
【００４３】
定型文ＤＢ２７に記憶される情報は、車載機５０に表示され、ユーザによって選択された「定型文」または音声認識によって特定された「定型文」が投稿情報として投稿されることとなる。また、カテゴリＤＢ２５、投稿情報ＤＢ２６、定型文ＤＢ２７それぞれが記憶する情報は、ユーザ等によって任意に設定変更することができる。また、カテゴリＤＢ２５、投稿情報ＤＢ２６、定型文ＤＢ２７のそれぞれは、例えばＲＡＭ（Random  Access  Memory）などの半導体メモリ素子やハードディスクなどの記憶装置である。
【００４４】
例えば、図３に示す「タグ」と「分類カテゴリ」と「表示形式」とのそれぞれは任意に設定でき、それぞれの組み合わせも任意に設定できる。つまり、ユーザは、どのような「タグ」をどのような「カテゴリ」に分類して、どのように表示させるかを任意に設定できる。同様に、図５に示す「投稿カテゴリ」と「定型文」と「タグ」とのそれぞれは任意に設定でき、それぞれの組み合わせも任意に設定できる。つまり、ユーザは、入力した「定型文」を任意に設定できる。
【００４５】
図２に戻り、投稿連携起動部２８は、投稿情報を車載機５０に表示する投稿連携を実施する。例えば、投稿連携起動部２８は、入出力インタフェース２１と車載機５０とがＵＳＢなどで接続されたことを検出すると、通信装置２０における投稿連携の初期画面（メインメニュー）の画像データを生成して、車載機５０に出力する。続いて、投稿連携起動部２８は、接続された車載機５０のディスプレイ等の解像度や大きさを取得する。そして、投稿連携起動部２８は、車載機５０の表示パネル５２の座標と、初期画面の画像データにおける座標とを対応付けてメモリ等に記憶する。この結果、通信装置２０は、車載機５０の表示パネル５２で操作された位置が通信装置２０のディスプレイ上のどの位置に対応するかを特定することができる。したがって、通信装置２０は、車載機５０から受信した座標から、ユーザが操作した操作内容を特定することができる。
【００４６】
また、投稿連携を実施する別手法としては、投稿連携起動部２８は、通信装置２０のディスプレイに表示される、例えば「TwitDrive」など投稿連携を示すアイコンがユーザにより選択されたことを受け付ける。すると、投稿連携起動部２８は、入出力インタフェース２１を制御して、車載機５０と無線接続を開始するようにしてもよい。
【００４７】
投稿情報取得部２９は、ユーザが投稿した投稿情報と当該投稿情報の投稿先を示す位置情報とを取得する。具体的には、投稿情報取得部２９は、車載機５０で投稿情報の取得要求操作がされたことを操作特定部３２から受信した場合、ツイッターサーバ１に接続して投稿情報を取得する。そして、投稿情報取得部２９は、取得した投稿情報をメモリ等に格納するとともに、情報分類部３０に出力する。また、投稿情報の取得契機としては、例えば所定時間ごとに取得するようにしてもよく、ツイッターサーバ１からＰＵＳＨ式で送信されるようにしてもよい。
【００４８】
一例としては、投稿情報取得部２９は、投稿情報として「投稿日時、タグ、内容、位置情報、動画像、音声」として「2010/05/11  12:00:15、＃Tra、渋滞中、東京都○○、渋滞.mpeg、音声あり」から構成される投稿情報を取得する。なお、ここで取得される「投稿日時、タグ、内容、位置情報、動画像、音声」は、図４と同様なので、詳細な説明は省略する。
【００４９】
情報分類部３０は、投稿情報取得部２９によって取得された投稿情報をカテゴリに分類する。具体的には、情報分類部３０は、投稿情報取得部２９によって取得された投稿情報に含まれる「ハッシュタグ」と一致する「タグ」をカテゴリＤＢ２５から特定する。そして、情報分類部３０は、投稿情報の「ハッシュタグ」と一致する「タグ」がカテゴリＤＢ２５に存在する場合には、一致した「タグ」と対応付けられている「カテゴリ」を当該投稿情報の分類先として特定し、特定した「カテゴリ」と投稿情報とを対応付けて投稿情報ＤＢ２６に格納する。一方、情報分類部３０は、投稿情報の「ハッシュタグ」と一致する「タグ」がカテゴリＤＢ２５に存在しない場合には、「カテゴリ＝−」と投稿情報とを対応付けて投稿情報ＤＢ２６に格納する。
【００５０】
例えば、投稿情報「2010/4/26  10:00:05、＃Sce、いい景色、六甲山××、夜景.mpeg、あり」が投稿情報取得部２９によって取得された場合の例を用いて説明する。この場合、情報分類部３０は、投稿情報の「ハッシュタグ＝＃Sce」と一致するタグをカテゴリＤＢ２５から検索する。そして、情報分類部３０は、「ハッシュタグ＝＃Sce」に一致するタグが存在するので、このタグ「＃Sce」に対応するカテゴリを「シーン」と特定する。この結果、情報分類部３０は、投稿情報「2010/4/26  10:00:05、＃Sce、いい景色、六甲山××、夜景.mpeg、あり」にカテゴリ「シーン」を対応付けて投稿情報ＤＢ２６に格納する。
【００５１】
また、投稿情報「2010/4/26  10:00:02、＃Wet、濃霧で視界不良です、兵庫県神戸市○○１丁目、−、−」が投稿情報取得部２９によって取得された場合の例を用いて説明する。この場合、情報分類部３０は、投稿情報の「ハッシュタグ＝＃Wet」と一致するタグをカテゴリＤＢ２５から検索する。そして、情報分類部３０は、「ハッシュタグ＝＃Wet」に一致するタグが存在しないので、このタグ「＃Wet」に対応するカテゴリを「−」と決定する。この結果、情報分類部３０は、「2010/4/26  10:00:02、＃Wet、濃霧で視界不良です、兵庫県神戸市○○１丁目、−、−」にカテゴリ「−」を対応付けて投稿情報ＤＢ２６に格納する。
【００５２】
なお、情報分類部３０は、投稿情報取得部２９によって取得された投稿情報全てについて分類処理を実行する。したがって、情報分類部３０は、投稿情報取得部２９によって１００個の投稿情報が取得された場合には、１００個の投稿情報それぞれについて、上記カテゴリ分類を実施して投稿情報ＤＢ２６に格納する。
【００５３】
情報表示部３１は、投稿情報取得部２９によって投稿情報とともに取得された位置情報によって特定される位置に、情報分類部３０によって分類されたカテゴリに応じた表示形式で投稿情報を表示させた地図データを生成する。具体的に例を挙げると、情報表示部３１は、（１）車両の現在位置の地図データ取得、（２）現在位置付近の投稿情報特定、（３）表示形式の特定、（４）表示する地図データ生成、（５）車載機へ送信を実行する。
【００５４】
例えば、（１）として、情報表示部３１は、当該車載用表示装置１１の現在位置をＧＰＳ２２によって取得し、取得した現在位置に対応する地図データを地図サーバ３から取得する。続いて、（２）として、情報表示部３１は、ＧＰＳ２２で取得した位置情報付近の位置情報を有する投稿情報を投稿情報ＤＢ２６から特定する。そして、（３）として、情報表示部３１は、特定した投稿情報を投稿情報ＤＢ２６から読み出し、読み出した投稿情報の「タグ」に対応する表示形式をカテゴリＤＢ２５から特定し、特定した「表示形式」の投稿情報を生成する。このとき、情報表示部３１は、投稿情報に付加される動画像データの表示や音声データの再生を実施するための「詳細ボタン」等をアイコン等に付加してもよい。続いて、（４）として、情報表示部３１は、投稿情報に付加される位置情報に基づいて投稿情報の投稿位置を特定し、現在位置に対応する地図データ上に、生成した投稿情報を付加する。そして、情報表示部３１は、投稿情報ＤＢ２６に格納される投稿情報各々に対してこの処理を繰り返すことで、１つの地図データに投稿情報各々が表示されている新たな地図データをＪＰＥＧ形式で生成する。その後、（５）として、情報表示部３１は、生成した新たなＪＰＥＧ形式の地図データを車載機５０に出力する。
【００５５】
また、情報表示部３１は、車載用表示装置１１を搭載する車両は動いているものであり、車両の現在位置は刻々と変化する。したがって、情報表示部３１は、車両の現在位置が変化するたびに、（１）〜（５）の処理を繰り返し実行する。その結果、車載機５０では、常に、車両の現在位置周辺の地図に投稿情報のアイコンが図示される地図データを表示することができる。なお、（１）〜（５）の処理はあくまで例であり、これに限定されるものではない。例えば、（１）〜（５）を説明した順番で実行する必要はなく、情報表示部３１が車両の現在位置に投稿情報が表示される地図データを生成できる手法であれば、どのような手法を用いることもできる。一例としては、情報表示部３１は、地図サーバ３から取得した地図データに有効期限を付加して、メモリ等に格納しておき、地図サーバ３から取得する回数を減らすこともできる。
【００５６】
また、情報表示部３１は、ユーザによって表示を希望する「カテゴリ」が設定されている場合には、（２）で特定した投稿情報のうちユーザが希望する「カテゴリ」と一致するカテゴリのみについて（３）〜（５）の処理を実行してもよい。つまり、情報表示部３１は、ユーザの設定に応じて、表示する投稿情報をフィルタリングすることができる。
【００５７】
図２に戻り、操作特定部３２は、車載機５０で受け付けられたユーザ操作がどのような操作であるかを特定する。具体的には、操作特定部３２は、車載機５０からユーザが操作した位置を示す座標を受信する。すると、操作特定部３２は、投稿連携起動部２８によって対応付けられた通信装置２０における座標と、車載機５０における座標とから、現在表示されている画面のどの部分が選択されたかを特定することで、ユーザの操作を特定する。そして、操作特定部３２は、情報編集部３３や情報入力部３４に特定した操作内容や操作指示を出力する。
【００５８】
例えば、操作特定部３２は、ユーザ操作が「投稿情報押下」である場合には、情報編集部３３に投稿情報の詳細表示指示やリスト表示指示などの操作指示を出力する。また、操作特定部３２は、ユーザ操作が「投稿情報入力」である場合には、入力する投稿情報の「定型文」の表示指示を情報入力部３４に出力し、ユーザ操作が「定型文押下」である場合には、押下された「定型文」の投稿指示を情報入力部３４に出力する。
【００５９】
また、操作特定部３２は、「定型文」を発声したユーザ音声を音声認識で特定して、「定型文」の表示指示を情報入力部３４に出力することもできる。例えば、操作特定部３２は、マイク２４を介して入力された音声信号を音声認識サーバ４に送信する。そして、操作特定部３２は、音声認識サーバ４から受信した認識結果が「定型文」や「投稿入力」など投稿情報の入力を示す情報である場合には、「定型文」の表示指示を情報入力部３４に出力する。
【００６０】
情報編集部３３は、投稿情報の詳細内容を表示する操作を受け付けた場合には、投稿情報の詳細内容を表示する。すなわち、情報編集部３３は、情報表示部３１から車載機５０に送信され、車載機５０で表示される画像上でユーザが実施した操作に基づいて、操作されたデータを編集した新たなデータを生成して車載機５０に送信する。
【００６１】
例えば、情報編集部３３は、車載機５０に表示される地図データ上で、「投稿情報の押下」や「投稿情報の詳細ボタン押下」などの操作がされたことを操作特定部３２から受信する。すると、情報編集部３３は、操作された投稿情報に関する情報を投稿情報ＤＢ２６から取得し、取得した動画像データや音声データを車載機５０に出力する。このとき、情報編集部３３は、動画や音声を再生しつつ、車載機５０に出力してもよい。
【００６２】
また、情報編集部３３は、「投稿情報の押下」や「投稿情報の詳細ボタン押下」などの操作がされたことを操作特定部３２から受信した場合に、当該操作された投稿情報付近に他の投稿情報が存在するか否かを判定する。そして、情報編集部３３は、操作された投稿情報付近に他の投稿情報が存在する場合には、操作された投稿情報を含む他の投稿情報を含む全情報を並び替えて表示する。一例としては、情報編集部３３は、投稿された時間に基づいた時系列で並び替えた一覧、または、操作を受け付けた地図上の位置から近い順で並び替えた一覧、または、情報分類部３０が分類したカテゴリごとに並び替えた一覧を表示する。
【００６３】
情報入力部３４は、投稿情報の投稿操作を受け付けた場合には、投稿情報を投稿する。すなわち、情報入力部３４は、情報表示部３１から車載機５０に送信され、車載機５０で表示される画像上でユーザが投稿操作を行った場合に、投稿するための各情報が表示される画像データを生成して車載機５０に送信する。
【００６４】
例えば、情報入力部３４は、車載機５０に表示される地図データ上で、「投稿情報入力」などの操作がされたことを操作特定部３２から受信する。すると、情報入力部３４は、投稿可能な投稿情報の定型文を表示する画像データを生成して、車載機５０に出力する。その後、情報入力部３４は、操作特定部３２からどの定型文が選択されたかが特定されると、特定された定型文を表示する画像データを生成して車載機５０に出力するとともに、当該投稿情報に現在の位置情報を付加した情報をツイッターサーバ１に送信する。
【００６５】
このとき、情報入力部３４は、「動画像」の撮影操作がされたことが操作特定部３２によって特定された場合には、カメラ２３を起動して動画像を撮影し、撮影した動画像データを定型文に付加した投稿情報を表示する画像データを生成して、車載機５０に出力する。また、情報入力部３４は、「音声」の録音操作がされたことが操作特定部３２によって特定された場合には、マイク２４を起動して音声を録音し、録音した音声データを定型文に付加した投稿情報を表示する画像データを生成して、車載機５０に出力する。
【００６６】
（車載機の構成）
車載機５０は、入出力インタフェース５１と、表示パネル５２と、表示制御部５３と、音声制御部５４と、スピーカー５５と、コマンド制御部５６とを有する。なお、ここに示した各機能部は、あくまで例示であり、車載機５０の機能がこれに限定されるものではない。例えば、上記機能部以外にも、ナビゲーション機能等を有していてもよい。また、車載機５０は、車内の音声を集音するマイク５７や、車内や車外の動画像を撮影するカメラ５８を有していてもよい。
【００６７】
入出力インタフェース５１は、通信装置２０と連携接続するインタフェースであり、例えばＵＳＢなどの有線通信、赤外線やブルートゥース（登録商標）などの近距離無線通信などの通信で通信装置２０と接続する。例えば、入出力インタフェース５１は、投稿情報や地図データなどが圧縮されたＪＰＥＧ形式の画像データ、ＭＰＥＧ形式の動画データや音声データを通信装置２０から受信する。また、入出力インタフェース５１は、ユーザが操作した操作位置を示す座標などを通信装置２０に送信する。
【００６８】
表示パネル５２は、後述する表示制御部５３から入力された画像データを表示するディスプレイやタッチパネルである。表示制御部５３は、入出力インタフェース５１を介して、通信装置２０から受信した画像データを表示パネル５２に表示出力し、通信装置２０から受信した音声データを音声制御部５４に出力する。
【００６９】
音声制御部５４は、表示制御部５３から音声データを受信して保持し、表示パネル５２によって音声出力指示を受け付けた場合には、当該指示された音声を再生してスピーカー５５から出力する。コマンド制御部５６は、表示パネル上でユーザがタッチ（操作）した位置を特定し、入出力インタフェース５１を介して、特定した位置を示す座標を通信装置２０に送信する。
【００７０】
［画面例および画面遷移例］
次に、図６〜図１４を用いて、通信装置２０が生成して車載機５０に表示される画面と、画面遷移例とを説明する。
【００７１】
まず、図６は、通信装置と車載装置との投稿連携における初期画面である。通信装置２０の投稿連携起動部２８は、入出力インタフェース２１と車載機５０とがＵＳＢなどで接続されたことを検出すると、図６に示す初期画面データを生成して車載機５０に送信する。そして、車載機５０の表示制御部５３は、受信した図６の画面を表示パネル５２に表示する。
【００７２】
車載機５０のコマンド制御部５６は、図６の（Ａ）に示した「TwitDrive」がユーザによって選択されると、選択された「TwitDrive」の位置を示す座標を通信装置２０に送信する。通信装置２０の操作特定部３２は、受信した座標から「TwitDrive」が選択されたことを特定し、投稿情報取得部２９に情報取得指示を出力する。なお、このとき、操作特定部３２は、ユーザ設定やフィルタリング設定ができるメインメニューを表示させてもよい。
【００７３】
その後、情報表示部３１は、ＧＰＳ２２によって自車両の位置を取得し、取得した自車両の位置に対応する地図データを地図サーバ３から取得する。そして、情報表示部３１は、自車両の周辺の地図データを「TwitDrive」の初期画面として車載機５０に送信し、車載機５０が表示パネル５２に出力する。
【００７４】
その後、情報表示部３１は、投稿情報取得部２９によって投稿情報とともに取得された位置情報によって特定される地図上の位置に、情報分類部３０によって分類されたカテゴリに応じた表示形式で投稿情報を表示する。
【００７５】
例えば、情報表示部３１は、図７に示すように、上記（１）〜（５）を実行することで生成された地図データに、（Ｂ）、（Ｃ）、（Ｄ）、（Ｅ）、（Ｆ）を付加した地図データを生成して車載機５０に表示させる。図７は、通信装置と車載装置との投稿連携で表示される画面例である。図７の画面は、上記（１）〜（５）を実行することで生成される地図データである。
【００７６】
具体的には、情報表示部３１は、地図データを拡大または縮小する操作を実行する（Ｂ）と、前回表示された地図データに戻る操作を実行する（Ｃ）とを地図データに付加する。さらに、情報表示部３１は、地図データに付加されている投稿情報の一覧を表示させる（Ｅ）と、地図データに投稿情報を投稿する（Ｆ）とを地図データに付加する。なお、（Ｄ）は、上記（１）〜（５）で生成される投稿情報である。
【００７７】
ここで、図７に示した（Ｂ）、（Ｃ）、（Ｄ）、（Ｅ）、（Ｆ）について説明する。情報表示部３１は、車載機５０上で、図７の（Ｂ）に示される「＋」が選択されると、表示されている地図データを拡大した画面データを生成して車載機５０に送信し、車載機５０の表示制御部５３は、受信した拡大画面データを表示パネル５２に表示する。また、情報表示部３１は、図７の（Ｂ）に示される「−」が選択されると、表示されている地図データを縮小した画面データを生成して車載機５０に送信し、車載機５０の表示制御部５３は、受信した縮小画面データを表示パネル５２に表示する。
【００７８】
なお、拡大画面データや縮小画面データの生成手法としては、情報表示部３１が表示されている画面データの拡大地図データや縮小地図データを地図サーバ３から取得し、取得した拡大地図データや縮小地図データに対して上述した手法と同様に、投稿情報を表示する画面データを生成して車載機５０に送信する。
【００７９】
また、情報表示部３１は、車載機５０上で、図７の（Ｃ）が選択されると、現在表示されている画像データの直前に表示されていた画像データを車載機５０に送信し、車載機５０の表示制御部５３は、受信した直前の画像データを表示パネル５２に表示する。直前に表示された画像データは、キャッシュなどに記憶しておくことで、簡単に再利用することができる。
【００８０】
また、情報編集部３３は、車載機５０上で、図７の（Ｄ）に示される投稿情報が選択されると、図８に示すような投稿情報の詳細情報を車載機５０に送信し、車載機５０の表示制御部５３は、受信した投稿情報の詳細情報を表示パネル５２に表示する。図８は、投稿情報の詳細情報を表示した例を示す図である。
【００８１】
具体的には、図８に示すように、情報編集部３３は、図７上で選択された投稿情報が有する動画像データや音声データ等を投稿情報ＤＢ２６から取得して車載機５０に送信し、車載機５０の表示制御部５３は、受信した直前の画像データを表示パネル５２に表示する。図８に示す画面では、選択された投稿情報のカテゴリ、当該投稿情報に付加される画像データ、当該投稿情報を投稿したユーザに関する情報、現在地からの距離などが詳細情報として表示される。
【００８２】
そして、情報編集部３３は、車載機５０上で、図８に示す「×」が選択されると、表示している詳細画面を閉じて図７の画面に戻る。また、情報編集部３３は、車載機５０上で、図８に示す「Ｇ」が選択されると、表示されている投稿情報付近の他の投稿情報の詳細情報を順に生成して車載機５０に送信する。また、通信装置２０や車載機５０がナビゲーション機能を有している場合、情報編集部３３は、図８に示す画面上で「ＧＯ」が選択されると、表示している投稿情報までの道案内を開始する。
【００８３】
図７に戻り、情報編集部３３は、車載機５０上で、図７の（Ｅ）が選択されると、現在の地図データ上に表示される投稿情報の一覧を車載機５０に送信し、車載機５０の表示制御部５３は、受信した投稿情報の一覧を表示パネル５２に表示する。図９は、投稿情報の一覧を表示した例を示す図である。
【００８４】
具体的には、情報編集部３３は、図９に示すように、現在の地図データ上に表示される投稿情報それぞれを図３に示したカテゴリ「交通、天気、シーン、カスタム、お知らせ」ごとに並び替え、カテゴリが選択可能なタグを設けた画面データを生成する。図９に示す画面では、カテゴリが選択可能なタグが設けられ、選択されたタグのカテゴリに属する投稿情報の一覧が表示される。この投稿情報一覧では、各投稿情報が現在位置からどの位置で投稿されたかを示す距離も表示される。また、各カテゴリごとに、どの投稿情報を表示するかを選択することができる操作ボタンも表示される。図９の場合、カテゴリ「交通」の「渋滞中、抜け道、駐車ＯＫ」が選択されているので、これらのみの一覧が表示される。さらに、情報編集部３３は、図９の（Ｈ）が選択されると、選択された方向に表示される一覧をスクロールさせる。
【００８５】
図７に戻り、情報入力部３４は、車載機５０上で、図７の（Ｆ）が選択されると、ユーザ入力可能な投稿情報の定型文を車載機５０に送信し、車載機５０の表示制御部５３は、受信した定型文を含む画像データを表示パネル５２に表示する。図１０は、カテゴリ（交通）の定型文を表示した例を示す図である。図７の（Ｆ）は、情報表示部３１が図５に示した「投稿カテゴリ」から取得して表示するデータである。
【００８６】
具体的には、情報入力部３４は、図７の（Ｆ）に示した「投稿カテゴリ」の一つが選択されると、選択された「投稿カテゴリ」に対応する「定型文」を定型文ＤＢ２７から取得して、現在の表示画面に定型文を付加した画像データを生成して車載機５０に送信する。その後、情報入力部３４は、車載機５０上で選択された「定型文」を図３に示した表示形式にしたがった表示形式で、車両の現在位置に「定型文」を付加した新たな画像データを生成して車載機５０に送信する。また、情報入力部３４は、図７に示した「自車両位置」が選択された場合には、「定型文」一覧を車載機５０に表示させ、選択された「定型文」を表示させた画像データを生成して車載機５０に送信する。
【００８７】
例えば、情報入力部３４は、図７の（Ｆ）に示した「投稿カテゴリ」の「交通」が選択されると、選択された「交通」に対応する「定型文（渋滞中、なう、抜け道、危険！、ここイイ、駐車ＯＫ）」を定型文ＤＢ２７から取得する。そして、情報入力部３４は、図１０に示すように、現在の表示画面に定型文（渋滞中、なう、抜け道、危険！、ここイイ、駐車ＯＫ）を付加した画像データを生成して車載機５０に送信する。その後、情報入力部３４は、車載機５０上で「渋滞中」が選択されると、選択された「渋滞中」に現在の位置情報を付加した投稿情報を生成する。また、情報入力部３４は、選択された「渋滞中」の表示形式「赤、アイコン」をカテゴリＤＢ２５から特定する。そして、情報入力部３４は、車載機５０上で「投稿」が選択されると、図１１に示すように、特定した表示形式で投稿情報「渋滞中」を現在の車両位置に表示した画像データを生成して車載機５０に送信する。このとき、情報入力部３４は、生成した投稿情報をツイッターサーバ１にも送信する。
【００８８】
別例としては、情報入力部３４は、図７の（Ｆ）に示した「投稿カテゴリ」の「天気」が選択されると、選択された「天気」に対応する「定型文（雨、積雪、凍結、濃霧、暴風雨、台風）」を定型文ＤＢ２７から取得する。そして、情報入力部３４は、図１２に示すように、現在の表示画面に定型文（雨、積雪、凍結、濃霧、暴風雨、台風）を付加した画像データを生成して車載機５０に送信する。その後、情報入力部３４は、車載機５０上で「暴風雨」が選択されると、選択された「暴風雨」に現在の位置情報を付加したと投稿情報を生成する。また、情報入力部３４は、選択された「暴風雨」の表示形式「白、アイコン」をカテゴリＤＢ２５から特定する。そして、情報入力部３４は、車載機５０上で「投稿」が選択されると、図１３に示すように、特定した表示形式で投稿情報「暴風雨」を現在の車両位置に表示した画像データを生成して車載機５０に送信する。このとき、情報入力部３４は、生成した投稿情報をツイッターサーバ１にも送信する。
【００８９】
なお、図１１は、投稿情報として定型文（渋滞中）を入力した例を示す図であり、図１２は、カテゴリ（天気）の定型文を表示した例を示す図であり、図１３は、投稿情報として定型文（暴風雨）を入力した例を示す図である。
【００９０】
また、情報入力部３４は、図１４に示すように、定型文一覧に「画像」と「音声」とを選択させるボタンを表示させることもできる。そして、情報入力部３４は、車載機５０で「画像」が選択された場合には、カメラ２３を起動して周辺の動画像を撮影し、撮影した動画像データと定型文とを組み合わせた情報を投稿情報とすることもできる。また、情報入力部３４は、車載機５０で「音声」が選択された場合には、マイク２４を起動して音声を録音し、録音した音声データと定型文とを組み合わせた情報を投稿情報とすることもできる。図１４は、定型文一覧とともに動画像撮影ボタンと音声録音ボタンとを表示した画面例を示す図である。
【００９１】
さらに、情報入力部３４は、音声認識を用いて「定型文」を投稿することもできる。例えば、情報入力部３４は、操作特定部３２から「定型文」の表示指示を受け付けると、「定型文」一覧を車載機５０に送信する。その後、情報入力部３４は、マイク２４を介して入力された音声信号を音声認識サーバ４に送信する。そして、情報入力部３４は、音声認識サーバ４から受信した認識結果が「定型文」一覧のいずれかに該当する場合には、当該該当する「定型文」を投稿情報とする画像データを生成して車載機５０に送信する。すなわち、情報入力部３４は、音声認識を用いて特定した「定型文」を投稿することもできる。
【００９２】
また、情報入力部３４は、音声認識サーバ４から受信した認識結果が「渋滞中を投稿」など投稿情報そのものである場合には、「渋滞中」を投稿情報とする画像データを生成して車載機５０に送信する。すなわち、情報入力部３４は、「定型文」だけでなく「投稿情報そのもの」を音声認識して投稿することもできる。
【００９３】
［処理の流れ］
次に、図１５〜図１８を用いて、車載用表示装置における処理の流れを説明する。図１５は、通信装置における投稿連携開始処理の流れを示すフローチャートであり、図１６は、通信装置における投稿情報表示処理の流れを示すフローチャートである。図１７は、通信装置における投稿情報選択時の処理の流れを示すフローチャートであり、図１８は、通信装置における投稿情報入力処理の流れを示すフローチャートである。
【００９４】
（投稿連携開始処理の流れ）
図１５に示すように、投稿連携起動部２８は、入出力インタフェース２１と車載機５０とがＵＳＢなどで接続されて投稿連携が起動されたことを検出すると（ステップＳ１０１肯定）、車載機５０との接続を確立する（ステップＳ１０２）。
【００９５】
その後、投稿連携起動部２８は、操作特定部３２によって車載機５０上で投稿連携終了操作がされたことが特定されると（ステップＳ１０３肯定）、車載機５０との通信を切断して処理を終了する（ステップＳ１０４）。
【００９６】
また、投稿連携起動部２８は、操作特定部３２によって車載機５０上で投稿連携終了操作がされたことが特定されるまでは（ステップＳ１０３否定）、図１６〜図１８で説明する各種処理を実行する（ステップＳ１０５）。
【００９７】
（投稿情報表示処理の流れ）
図１６に示すように、投稿情報取得部２９は、投稿情報取得契機に到達すると（ステップＳ２０１肯定）、ユーザや他のユーザが投稿した投稿情報と当該投稿情報の投稿先を示す位置情報とをツイッターサーバ１から取得する（ステップＳ２０２）。
【００９８】
続いて、情報分類部３０は、投稿情報取得部２９によって取得された投稿情報に含まれる「ハッシュタグ」と一致する「タグ」をカテゴリＤＢ２５から特定して、投稿情報取得部２９によって取得された投稿情報各々をカテゴリ分類し、投稿情報ＤＢ２６に格納する（ステップＳ２０３）。ここで、情報分類部３０は、投稿情報ＤＢ２６に格納されてから所定時間経過した投稿情報や投稿情報に含まれる「日時」から所定時間経過した投稿情報を、古い情報と判断して投稿情報ＤＢ２６から削除する（ステップＳ２０４）。
【００９９】
続いて、情報表示部３１は、投稿情報ＤＢ２６に格納される投稿情報に対してフィルタリングが設定されている場合には（ステップＳ２０５肯定）、投稿情報ＤＢ２６に格納される投稿情報をフィルタリングする（ステップＳ２０６）。そして、情報表示部３１は、フィルタリングされた投稿情報に対して、上述した（１）〜（５）の処理を実行し、地図データに投稿情報が表示されている新たな地図データを生成して車載機５０に送信し、車載機５０の表示パネル５２に地図データが表示される（ステップＳ２０７）。
【０１００】
一方、情報表示部３１は、投稿情報ＤＢ２６に格納される投稿情報に対してフィルタリングが設定されていない場合には（ステップＳ２０５否定）、ステップＳ２０８の処理を実行する。すなわち、情報表示部３１は、投稿情報ＤＢ２６に格納される投稿情報に対して、上述した（１）〜（５）の処理を実行し、地図データに投稿情報が表示されている新たな地図データを生成して車載機５０に送信し、車載機５０の表示パネル５２に地図データが表示される。
【０１０１】
（投稿情報選択時の処理の流れ）
図１７に示すように、情報編集部３３は、車載機５０で受け付けられたユーザ操作が操作特定部３２によって特定されると（ステップＳ３０１肯定）、特定された操作が投稿情報の選択であるか否かを判定する（ステップＳ３０２）。
【０１０２】
続いて、情報編集部３３は、特定された操作が投稿情報の選択である場合（ステップＳ３０２肯定）、選択された位置に複数の投稿情報が存在するか否かを判定する（ステップＳ３０３）。
【０１０３】
そして、情報編集部３３は、選択された位置に複数の投稿情報が存在する場合（ステップＳ３０３肯定）、当該複数の投稿情報を並び替えた画像データを生成して車載機５０に表示する（ステップＳ３０４）。例えば、情報編集部３３は、図８に示したように、１つの投稿情報の詳細情報を表示した上でスクロールできるように表示する。また、情報編集部３３は、図９に示すように、現在の地図データ上に表示される投稿情報それぞれを図３に示したカテゴリ「交通、天気、シーン、カスタム、お知らせ」ごとに並び替え、カテゴリが選択可能なタグを設けて表示する。
【０１０４】
一方、情報編集部３３は、選択された位置に複数の投稿情報が存在しない場合（ステップＳ３０３否定）、選択された投稿情報のみ詳細情報を表示する画像データを生成して車載機５０に表示する（ステップＳ３０５）。
【０１０５】
また、ステップＳ３０２において、情報編集部３３は、特定された操作が投稿情報の選択でない場合（ステップＳ３０２否定）、選択された処理に応じた処理を実行する（ステップＳ３０６）。例えば、図７を用いて説明したように、情報編集部３３は、前回画面に戻ったり、拡大／縮小を実行したり、メインメニューに戻ったりする。
【０１０６】
（投稿情報入力処理の流れ）
図１８に示すように、情報入力部３４は、車載機５０で受け付けられたユーザ操作が入力操作であると操作特定部３２によって特定されると（ステップＳ４０１肯定）、特定された操作から操作されたカテゴリを特定する（ステップＳ４０２）。
【０１０７】
続いて、情報入力部３４は、特定したカテゴリの定型文を定型文ＤＢ２７から取得し、取得した定型文一覧が現在の地図上に表示される地図データを生成して車載機５０に表示させる（ステップＳ４０３）。このとき、情報入力部３４は、定型文一覧に「画像」と「音声」とを選択させるボタンを表示させることもできる。
【０１０８】
その後、情報入力部３４は、車載機５０で定型文が選択されたことが操作特定部３２によって特定されると（ステップＳ４０４肯定）、定型文選択とともに「画像」ボタンが選択されたかを判定する（ステップＳ４０５）。
【０１０９】
そして、情報入力部３４は、車載機５０で定型文とともに「画像」ボタンが選択されたことが操作特定部３２によって特定されると（ステップＳ４０５肯定）、カメラ２３を起動して周辺の動画像を撮影する（ステップＳ４０６）。続いて、情報入力部３４は、さらに、「音声」ボタンが選択されたかを判定する（ステップＳ４０７）。なお、情報入力部３４は、ステップＳ４０５において、「画像」ボタンが選択されていないと判断されると（ステップＳ４０５否定）、ステップＳ４０７を実行する。また、ステップＳ４０５とステップＳ４０７の判定は、どちらを先に実行してもよい。
【０１１０】
そして、情報入力部３４は、さらに「音声」ボタンが選択されたことが操作特定部３２によって特定されると（ステップＳ４０７肯定）、マイク２４を起動して音声を録音する（ステップＳ４０８）。情報入力部３４は、ステップＳ４０７において、「音声」が選択されていないと判断されると（ステップＳ４０７否定）、ステップＳ４０９を実行する。
【０１１１】
その後、情報入力部３４は、選択された「定型文」に現在の位置情報と、動画像データや音声データを付加した投稿情報を生成する（ステップＳ４０９）。そして、情報入力部３４は、車載機５０で「投稿」ボタンが選択されたことが操作特定部３２によって特定されると（ステップＳ４１０肯定）、生成した投稿情報を投稿する（ステップＳ４１１）。
【０１１２】
すなわち、情報入力部３４は、車載機５０上で「投稿」が選択されると、生成した投稿情報に対応する表示形式で、当該投稿情報を現在の車両位置に表示した画像データを生成して車載機５０に送信する。このとき、情報入力部３４は、生成した投稿情報をツイッターサーバ１にも送信する。
【０１１３】
［実施例１による効果］
このように、実施例１によれば、リアルタイムに投稿されるツイッターなどの投稿情報をユーザが予め指定したカテゴリに分類し、分類したカテゴリに応じた表示形式で車載機５０に表示させることができる。したがって、安全運転を阻害することなく、車載機５０に表示された投稿情報の内容を一見して把握することが可能である。
【０１１４】
また、投稿情報を吹き出しなどのアイコン状で表示させることもでき、また、投稿情報は予め用意された定型文を選択して投稿する。したがって、文字入力を求める必要がなくなり、投稿情報が定型の単語の記載されたアイコン状で表示されるので、運転中のちょっとした画面確認でも、どういった内容が投稿されているのかを理解しやすく、わき見運転を防止できる。また、吹き出しで表現するので、他のユーザがその場所にいたときに発言（投稿）したことが直感的に理解しやすくなる。さらに、あたかも他人とのコミュニケーションをとっているような感覚をユーザに与え、互いの情報発信が活発化し、有益な情報が得られることからドライブが楽しくなる。
【０１１５】
さらに、ツイッター（登録商標）などの特徴である「気軽にリアルタイムな情報発信」に着目しつつ、ドライブの楽しさ、快適な、運転中に誰かとつながっているという安心感を与えることができるとともに、リアルタイムな情報取得によっても安全運転をサポートできる。
【実施例２】
【０１１６】
本願の開示する車載用表示装置は、ユーザ（運転者）の嗜好に適した投稿情報が多く投稿された場合には、その投稿情報の位置をユーザに通知することもできる。つまり、車載用表示装置は、ユーザの趣味や嗜好に一致する投稿情報が多く投稿された場合に、当該多く投稿された方向を「トレンド」方向として、ユーザに通知することができる。
【０１１７】
例えば、通信装置２０は、メモリなどの記憶部に、図１９に示すような「氏名、住所、趣味、優先表示情報」などが格納されたプロフィール情報を記憶する。図１９は、プロフィール情報の例を示す図である。また、車載機５０では、「トレンド」方向（Ｚ）がデフォルト方向である「北」を向いている図２０に示すような画面が表示されているとする。
【０１１８】
このような状態において、通信装置２０は、実施例１と同様、ツイッターサーバ１から投稿情報を取得して分類し、投稿情報ＤＢ２６に格納した後、投稿情報ＤＢ２６に格納される投稿情報について上記（１）〜（５）を実行して、投稿情報が投稿された画像データを生成する。このとき、通信装置２０は、生成した画像データにおいて「１０」以上の投稿情報が固まっている箇所を検出する。そして、通信装置２０は、検出した箇所に表示される投稿情報において、ユーザのプロフィール「優先表示情報」と一致する情報が「７以上」であるかを判定する。この結果、通信装置２０は、ユーザのプロフィール「優先表示情報」と一致する情報が「７以上」である場合には、図２１に示すように、「トレンド」方向がプロフィールと一致する投稿情報の方向を指している画像データを生成して車載機５０に送信する。図２１の例では、「トレンド」方向（Ｚ）が北東を指しているので、現在地から北東の方向に、ユーザが興味を持つような投稿情報が多く投稿されていることがわかる。なお、ここで例示した数値はあくまで例示であり、これに限定されるものではない。
【０１１９】
この結果、ユーザは、自分の趣味や嗜好に関するリアルタイムな情報を簡単に取得することができる。また、ユーザは、「トレンド」の矢印で、有益な投稿情報の方向を簡単に把握することができる。したがって、安全運転を阻害することなく、車載機５０に表示された投稿情報の内容を一見して把握することが可能であり、快適なドライブをサポートすることができる。なお、図２０は、投稿情報が表示される画面例を示す図であり、図２１は、北東の方向にユーザの嗜好と一致する投稿情報が多数投稿された例を示す図である。
【０１２０】
また、「トレンド」方向の指す対象は、ユーザのプロフィールに一致する投稿情報に限定されるものではない。例えば、安全運転を促す重要な投稿情報が所定時間内に連続で投稿された場合や前回のデータに比べて投稿情報が急に増加した方向など、どのような情報がどのような条件で投稿された場合にトレンドの矢印を向けるかは任意に設定することができる。
【実施例３】
【０１２１】
実施例１では、車載用表示装置が地図データを有していない例について説明したが、これに限定されるものではなく、車載用表示装置が地図データを有していてもよい。そこで、実施例３では、車載用表示装置が地図データを有している場合の例について説明する。
【０１２２】
図２２は、実施例３にかかる車載用表示装置を含むシステムの全体構成を示す図である。図２２に示すように、このシステムは、ツイッターサーバ１と音声合成サーバ２と音声認識サーバ４と、自動車等の車内１００に設置される車載用表示装置１１０とを有する。ツイッターサーバ１と音声合成サーバ２と音声認識サーバ４とは、実施例１と同様の機能を有するので、詳細な説明は省略する。
【０１２３】
車載用表示装置１１０は、車内１００に設置される装置であり、通信装置２００と車載機５００とを有する。なお、車載用表示装置１１０は、通信装置２００と車載機５００とが別々の筐体で実現されている例を図示しているが、これに限定されるものではなく、例えば通信装置２００と車載機５００とが１つの筐体で実現されていてもよい。
【０１２４】
通信装置２００は、実施例１の通信装置２０と同様、Ｗｅｂやインターネットに接続可能な携帯電話、パーソナルコンピュータ、スマートフォンなどの通信装置であり、無線通信やＵＳＢなどを用いて車載機５００と接続される。この通信装置２０は、投稿情報、音声データなどを車載機５００に出力し、車載機５００のタッチパネル等でユーザが操作した内容にしたがって各種処理を実行する。
【０１２５】
この通信装置２００が有する投稿情報取得、情報分類、投稿連携、情報編集、操作特定、情報入力などの各機能は、図２で説明した通信装置２０と同様なので、詳細な説明は省略する。特に、通信装置２００が実施例１の通信装置２０と異なる点は、投稿情報を付加する地図データを地図サーバ３からではなく、車載機５００から取得する点である。また、通信装置２００は、ユーザが操作した操作位置を示す座標を車載機５００から取得し、取得した座標によって操作内容を特定することもでき、通信装置２００は、ユーザが操作した操作位置を示す緯度と経度とを車載機５００から取得し、取得した緯度と経度によって操作内容を特定することもできる。
【０１２６】
なお、通信装置２００は、投稿情報と位置情報を車載機５００に送信し、車載機５００が、位置情報から投稿位置を特定し、特定した地図データ上に投稿情報を表示させてもよい。
【０１２７】
車載機５００は、タッチパネルやディスプレイなどの液晶モニタを有するとともに、表示機能やオーディオ再生機能、携帯端末との通信機能といった基礎的な機能を有する。実施例１と異なる点は、車載機５００がナビゲーション部６００を有する点である。すなわち、実施例２にかかる車載機５００は、地図データおよび経路案内機能を有する。
【０１２８】
この車載機５００が有する表示制御、コマンド制御、音声制御などの各機能は、図２で説明した車載機５０と同様なので、詳細な説明は省略する。特に、車載機５００が実施例１の車載機５０と異なるナビゲーション部６００は、ＤＶＤ（Digital  Versatile  Disc）やＨＤＤ（Hard  Disk  Drive）など記憶媒体に地図データを有する。そして、ナビゲーション部６００は、目的地の入力を受け付けると、現在位置から目的地までの走行ルートを表示パネルに表示できる。
【０１２９】
また、ナビゲーション部６００は、表示パネル上でユーザの操作を受け付けた場合に、当該操作位置を示す座標または緯度と経度とを通信装置２００に送信する。さらに、ナビゲーション部６００は、通信装置２００からの要求に応じて、所望の位置が表示される地図データを通信装置２００に送信し、通信装置２００から受け付けた画像データを表示パネルに表示できる。また、ナビゲーション部６００は、通信装置２００から投稿情報と投稿位置とを受信した場合には、投稿位置に投稿情報を付加した地図データを生成することもできる。
【０１３０】
さらに、ナビゲーション部６００は、表示パネルに表示される地図データ上の投稿情報が選択された場合には、当該選択された投稿情報を目的地とした走行ルートを案内することもできる。
【実施例４】
【０１３１】
さて、これまで開示する車載用表示装置の実施例について説明したが、本願は上述した実施例以外にも、種々の異なる形態にて実施されてよいものである。そこで、以下に異なる実施例を説明する。
【０１３２】
（定型文の変動）
実施例１で説明した定型文は、季節、時間、天気、ユーザの嗜好などに応じて変動させることもできる。例えば、季節が「夏」である場合に、「積雪」などは定型文として用いず「紫外線強い」などを用いるようにすることもできる。また、「渋滞中」などの定型文は、季節、時間、天気、ユーザの嗜好などに応じて変動させない、言い換えると、ユーザでは変更することのできない固定情報とすることもできる。
【０１３３】
（定型文の投稿）
また、定型文を投稿するのに際して、位置情報、動画像データ、音声データを付加する例について説明したが、これに限定されるものではなく、例えば、ユーザのプロフィール情報などを定型文の詳細情報とした上で投稿することもできる。
【０１３４】
（地図データ）
上記実施例では、通信装置２０は、自車両が中心にくる地図データを生成する例について説明したが、これに限定されるものではなく、任意の位置を中心にすることができる。その場合、自車両の位置を確認できる「ボタン」などを地図データ上に表示させることもできる。また、通信装置２０は、トレンド方向が押下された場合には、トレンド方向が指す方向の地図データを地図サーバ３から取得して車載機５０に送信してもよい。すなわち、トレンド方向にスクロールすることもできる。
【０１３５】
（カテゴリ「カスタム」の使用例」
例えば、実施例で説明した「カスタム」カテゴリは、ツイッター（登録商標）でいうフォロアー間、言い換えると、ユーザが指定した他ユーザとの間のみ共有する情報として用いることもできる。こうすることで、複数台でドライブなどを行った場合、一緒にドライブをしているユーザ同士のみで投稿情報をやり取りすることができる。これにより、他のユーザからの投稿により、指定ユーザからの投稿が埋もれてしまわないようにできる。
【０１３６】
（音声認識）
例えば、上述した操作特定部３２や情報入力部３４が実施する音声認識は、通信装置２０のマイク２４を用いて実施してもよく、車載機５０のマイク５７を用いてもよい。つまり、音声信号を受け付けるのは、通信装置２０でも車載機５０でもよく、どちらで受け付けた場合も、上述したように、音声認識サーバ４を用いて音声認識が実行される。また、通信装置２０や車載機５０が、音声認識エンジン（アプリケーション）を有する場合には、音声認識サーバ４を用いることなく、車載用表示装置１１内で音声認識を実行してもよい。
【０１３７】
（システム）
また、図示した各装置の各構成要素は機能概念的なものであり、必ずしも物理的に図示の如く構成されていることを要しない。例えば、各装置の分散・統合の具体的形態は図示のものに限られない。その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵなどのプロセッサおよび当該プロセッサにて解析実行されるプログラムにて実現され、あるいは、ワイヤードロジックによるハードウェアとして実現され得る。
【０１３８】
例えば、車載用表示装置１１は、通信装置２０と車載機５０とを有して構成される例について説明したが、これに限定されるものではない。例えば、車載機５０が通信装置２０の機能を有していてもよい。
【０１３９】
（プログラム）
なお、本実施例で説明した表示方法は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【産業上の利用可能性】
【０１４０】
以上のように、本願の開示する車載用表示装置、表示方法および情報表示システムは、ユーザが投稿した投稿情報を表示するのに有用であり、特に、安全運転を阻害することなく、車載装置に表示された投稿情報の内容を一見して把握することに適している。
【符号の説明】
【０１４１】
１  ツイッターサーバ
２  音声合成サーバ
３  地図サーバ
１０  車内
２０  通信装置
２１  入出力インタフェース
２２  ＧＰＳ
２３  カメラ
２４  マイク
２５  カテゴリＤＢ
２６  投稿情報ＤＢ
２７  定型文ＤＢ
２８  投稿連携起動部
２９  投稿情報取得部
３０  情報分類部
３１  情報表示部
３２  操作特定部
３３  情報編集部
３４  情報入力部
５０  車載機
５１  入出力インタフェース
５２  表示パネル
５３  表示制御部
５４  音声制御部
５５  スピーカー
５６  コマンド制御部
５７  マイク
５８  カメラ
【図１】
2011247831.tif 000003
【図２】
2011247831.tif 000004
【図３】
2011247831.tif 000005
【図４】
2011247831.tif 000006
【図５】
2011247831.tif 000007
【図６】
2011247831.tif 000008
【図７】
2011247831.tif 000009
【図８】
2011247831.tif 000010
【図９】
2011247831.tif 000011
【図１０】
2011247831.tif 000012
【図１１】
2011247831.tif 000013
【図１２】
2011247831.tif 000014
【図１３】
2011247831.tif 000015
【図１４】
2011247831.tif 000016
【図１５】
2011247831.tif 000017
【図１６】
2011247831.tif 000018
【図１７】
2011247831.tif 000019
【図１８】
2011247831.tif 000020
【図１９】
2011247831.tif 000021
【図２０】
2011247831.tif 000022
【図２１】
2011247831.tif 000023
【図２２】
2011247831.tif 000024